(57)【要約】【課題】カラム内部の液体の流れに生じる偏流や滞留を防ぎ、カラム内部の圧力損失を低下させ、液体の浄化性能に優れた浄化処理用吸着カラムおよび浄化処理ユニットを提供する。【解決手段】パイプに設けられた孔の平均面積、孔の開孔率、隣り合う一つの孔の重心と他の孔の重心との最短距離を制御することにより、カラム内部の液体の流れに生じる偏流や滞留を防ぎ、カラム内部の圧力損失を低下させ、液体の浄化性能に優れた浄化処理用吸着カラムを提供する。【選択図】図１
2017170140.tif 000002
【特許請求の範囲】
【請求項１】
側面に複数の孔を有するパイプと、
前記パイプの周りに配置された浄化材料と、を備え、
前記孔の平均面積は、５ｍｍ２以上１００ｍｍ２以下であり、
前記孔の開孔率は、２０％以上８５％以下であり、
隣り合う一つの孔の重心と他の孔の重心との最短距離は、５ｍｍ以上１５ｍｍ以下である、
浄化処理用吸着カラム。
【請求項２】
隣り合う一つの孔の外周の一端と他の孔の外周の一端との最短距離は、１ｍｍ以上１０ｍｍ以下である、請求項１記載の浄化処理用吸着カラム。
【請求項３】
前記パイプの軸線方向端から孔の外周までの最短距離をｘとし、前記浄化材料の厚みをｔとした場合に、ｘは２ｍｍ以上１５ｍｍ以下であり、ｔは３ｍｍ以上６０ｍｍ以下である、請求項１又は２記載の浄化処理用吸着カラム。
【請求項４】
液体の流入側となる孔の直径をＤ３とし、液体の流出側となる当該孔の直径をＤ４とした場合に、Ｄ３≦Ｄ４となる、請求項１〜３のいずれか一項記載の浄化処理用吸着カラム。
【請求項５】
前記パイプの軸線方向において、前記孔の面積は、前記パイプ内での流体の流れについての上流側から下流側に向かうに従って、小さくなる、請求項１〜４のいずれか一項記載の浄化処理用吸着カラム。
【請求項６】
前記浄化材料は、血液、羊水、腹水又は胸水を浄化するための材料である、請求項１〜５のいずれか一項記載の浄化処理用吸着カラム。
【請求項７】
請求項１〜６のいずれか一項に記載の浄化処理用吸着カラムであって、
カラムケースと、前記カラムケース内に配置された浄化処理ユニットと、を備え、
前記カラムケースは、筒状のケーシング本体と、前記ケーシング本体の一対の開口に設けられた第１蓋体及び第２蓋体と、を有し、
前記第１蓋体及び前記第２蓋体は、それぞれ、前記ケーシング本体内に通じる注出入口を設けられており、
前記浄化処理ユニットは、前記パイプおよび前記浄化材料と、前記パイプおよび前記浄化材料と前記第１蓋体との間に設けられた第１端部材と、前記パイプおよび前記浄化材料と前記第２蓋体との間に設けられた第２端部材と、を有し、
前記第１端部材は、前記ケーシング本体との間に隙間を形成し、前記浄化材料および前記パイプを軸線方向から覆い、
前記第２端部材は、その外周縁において前記ケーシング本体に接続し、前記パイプの内部を前記第１蓋体で区画された空間に連通させながら、前記浄化材料を軸線方向から覆い、
前記浄化材料と前記ケーシング本体との間に隙間が設けられている、浄化処理用吸着カラム。
【請求項８】
浄化処理用吸着カラム用の浄化処理ユニットであって、
側面に複数の孔を有するパイプと、
前記パイプの前記側面を覆うように配置された浄化材料と、を備え、
前記孔の平均面積は、５ｍｍ２以上１００ｍｍ２以下であり、
前記孔の開孔率は、２０％以上８５％以下であり、
隣り合う一つの孔の重心と他の孔の重心との最短距離は、５ｍｍ以上１５ｍｍ以下である、浄化処理ユニット。
【発明の詳細な説明】
【技術分野】
【０００１】
本発明は、浄化処理用吸着カラムおよび浄化処理ユニットに関する。
【背景技術】
【０００２】
近年、浄化処理用吸着カラムとして、例えば、圧力損失が小さくかつ偏流が少ない構造を有する体液浄化カラム（特開平９−２３９０２２号公報（特許文献１））や、低流量でも治療効果が得られる体液浄化カラム（特開２００３−２２５３０４号公報（特許文献２））等がそれぞれ開発されてきた。これらの体液浄化カラムは、いずれも浄化能を有する材料と、これを充填したハウジング部と、からなるカラム形状を有している。これらの体液浄化カラムにおいて、除去材料が多孔部を有するパイプにロール状に巻かれ、浄化能を有した材料の両端部に円板状の部材が設けられている。円板状の部材を設けることにより、浄化材料の乱れや移動を防止する効果が奏され得る。また、パイプの孔の個数を２０個以上２００個以下にすることで、目詰まりを防止する効果が奏される。
【先行技術文献】
【特許文献】
【０００３】
【特許文献１】特開平９−２３９０２２号公報
【特許文献２】特開２００３−２２５３０４号公報
【発明の概要】
【発明が解決しようとする課題】
【０００４】
しかしながら、従来のカラムでは、カラム内部の圧力損失や偏流を低下させる効果は不十分であった。この点について検討を重ねたところ、従来の装置では、パイプに設けられた孔の構成（開孔率、孔の位置、孔の形状等）に依存して、カラム内の液体の流れに偏流や滞留が生じていた。この結果、カラム内部で液体の粘度が亢進されて圧力損失が増加するといった問題点や性能が不足するという問題点が生じていた。
【０００５】
そこで、本発明は、かかる従来技術の問題点に鑑み、カラム内部の液体の流れに生じる偏流や滞留を防ぎ、カラム内部の圧力損失を低下させ、液体の浄化性能に優れた浄化処理用吸着カラムおよび浄化処理ユニットを提供することを目的とする。
【課題を解決するための手段】
【０００６】
本発明者らは、上記課題を解決すべく鋭意検討を進めた結果として、以下の浄化処理用吸着カラムを見出した。
【０００７】
（１）  側面に複数の孔を有するパイプと、前記パイプの周りに配置された浄化材料と、を備え、前記孔の平均面積は、５ｍｍ２以上１００ｍｍ２以下であり、前記孔の開孔率は、２０％以上８５％以下であり、隣り合う一つの孔の重心と他の孔の重心との最短距離は、５ｍｍ以上１５ｍｍ以下である、浄化処理用吸着カラム。
（２）  隣り合う一つの孔の外周の一端と他の孔の外周の一端との最短距離は、１ｍｍ以上１０ｍｍ以下である、上記（１）に記載の浄化処理用吸着カラム。
（３）  前記パイプの軸線方向端から孔の外周までの最短距離をｘとし、前記浄化材料の厚みをｔとした場合に、ｘは２ｍｍ以上１５ｍｍ以下であり、ｔは３ｍｍ以上６０ｍｍ以下である、上記（１）又は（２）に記載の浄化処理用吸着カラム。
（４）  液体の流入側となる孔の直径をＤ３とし、液体の流出側となる当該孔の直径をＤ４とした場合に、Ｄ３≦Ｄ４となる、上記（１）〜（３）のいずれかに記載の浄化処理用吸着カラム。
（５）  前記パイプの軸線方向において、前記孔の面積は、前記パイプ内での流体の流れについての上流側から下流側に向かうに従って、小さくなる、上記（１）〜（４）のいずれかに記載の浄化処理用吸着カラム。
（６）  前記浄化材料は、血液、羊水、腹水又は胸水を浄化するための材料である、上記（１）〜（５）のいずれかに記載の浄化処理用吸着カラム。
（７）  カラムケースと、前記カラムケース内に配置された浄化処理ユニットと、を備え、
前記カラムケースは、筒状のケーシング本体と、前記ケーシング本体の一対の開口に設けられた第１蓋体及び第２蓋体と、を有し、
前記第１蓋体及び前記第２蓋体は、それぞれ、前記ケーシング本体内に通じる注出入口を設けられており、
前記浄化処理ユニットは、前記パイプおよび前記浄化材料と、前記パイプおよび前記浄化材料と前記第１蓋体との間に設けられた第１端部材と、前記パイプおよび前記浄化材料と前記第２蓋体との間に設けられた第２端部材と、を有し、
前記第１端部材は、前記ケーシング本体との間に隙間を形成し、前記浄化材料および前記パイプを軸線方向から覆い、
前記第２端部材は、その外周縁において前記ケーシング本体に接続し、前記パイプの内部を前記第１蓋体で区画された空間に連通させながら、前記浄化材料を軸線方向から覆い、
前記浄化材料と前記ケーシング本体との間に隙間が設けられている、上記（１）〜（６）のいずれかに記載の浄化処理用吸着カラム。
（８）  浄化処理用吸着カラム用の浄化処理ユニットであって、
側面に複数の孔を有するパイプと、
前記パイプの前記側面を覆うように配置された浄化材料と、を備え、
前記孔の平均面積は、５ｍｍ２以上１００ｍｍ２以下であり、
前記孔の開孔率は、２０％以上８５％以下であり、
隣り合う一つの孔の重心と他の孔の重心との最短距離は、５ｍｍ以上１５ｍｍ以下である、浄化処理ユニット。
【発明の効果】
【０００８】
本発明によれば、液体を浄化材料に接触させる機能をもつパイプの孔の構成を規定することによって、液体の流れに生じる偏流や滞留を防止することにより、カラム内の圧力損失を低下させ、浄化処理用吸着カラムおよび浄化処理ユニットにおける液体の浄化性能を向上させることができる。
【図面の簡単な説明】
【０００９】
【図１】本発明の浄化処理用吸着カラムの一例の縦断面図。
【図２Ａ】浄化処理用吸着カラムの縦断面図であって、パイプと浄化材料を軸線方向から覆う端部材と液体の流れを示す図。
【図２Ｂ】浄化処理用吸着カラムの縦断面図であって、パイプと浄化材料を軸線方向から覆う端部材と液体の流れを示す図。
【図３】パイプを正面から示す斜視図。
【図４】パイプの側面を展開して示す図であって、隣り合う一つの孔（円）の重心と他の孔の重心との最短距離を説明するための図。
【図５】パイプの側面を展開して示す図であって、隣り合う一つの孔（星形）の重心と他の孔の重心との最短距離を説明するための図。
【図６】パイプの側面を展開して示す図であって、隣り合う一つの孔（長方形）の重心と他の孔の重心との最短距離を説明するための図。
【図７】パイプの側面を展開して示す図であって、隣り合う一つの孔（円）の外周の一端と他の孔の外周の一端との最短距離を説明するための図。
【図８】パイプの側面を展開して示す図であって、隣り合う一つの孔（星形）の外周の一端と他の孔の外周の一端との最短距離を説明するための図。
【図９】パイプの側面を展開して示す図であって、隣り合う一つの孔（長方形）の外周の一端と他の孔の外周の一端との最短距離を説明するための図。
【図１０】パイプ及び浄化材料を正面から示す斜視図であって、パイプの軸線方向端から孔の外周までの最短距離（ｘ）と浄化材料の厚み（ｔ）を説明するための図。
【図１１Ａ】浄化処理用吸着カラムの縦断面図であって、孔の形状と液体の流れを説明するための図。
【図１１Ｂ】浄化処理用吸着カラムの縦断面図であって、孔の形状と液体の流れを説明するための図。
【図１１Ｃ】浄化処理用吸着カラムの縦断面図であって、孔の断面形状と液体の流れを示す図。
【図１２】パイプを正面から示す斜視図であって、パイプの軸線方向に沿って、孔の面積が、パイプ内での液体の流れについての上流側から下流側に向かうに従って、小さくなる例を示す図。
【図１３Ａ】パルス試験の方法を説明するための図。
【図１３Ｂ】パルス試験の方法を説明するための図。
【図１４】パルス試験から得られる波形解析の一例を示す図。
【発明を実施するための形態】
【００１０】
本発明は、上記、課題を解決するための手段の欄に記載したとおりの構成を特徴とする。
【００１１】
以下、図面を参照しながら、本発明の好適な実施形態について詳細に説明するが、本発明は図に示す態様に限定されるものではない。また図面の比率は説明のものとは必ずしも一致しない。
【００１２】
本発明における浄化処理用吸着カラムとは、液体から物質を除去する機器であり、疾病の治療用途や予防用途等、水等の液体の浄化用途等に好適である。また、パイプとは、浄化材料をその側面上に巻き付ける機能と、カラムに流入した液体をパイプに通して浄化材料に効率的に接触させる機能や、液体を浄化材料に接触させた後にパイプを通して、効率的にカラム外に液体を排出させる機能をもつ。
【００１３】
図１は、本発明の浄化処理用吸着カラムの一例の断面図である。浄化処理用吸着カラム１は、液体を流入する入口又は液体を排出する出口として機能する一対の注出入口１ａ，１ｂを有したカラムケース２と、カラムケース２の内部に配置された浄化処理ユニット１０と、を有している。ここで、カラムケース２は、筒状のケーシング本体３と、ケーシング本体３の一方の開口に設けられた第１蓋体４と、ケーシング本体３の他方の開口に設けられた第２蓋体５と、を有している。第１蓋体４及び第２蓋体５には、ケーシング本体３の内部を外部に連通させる開口が設けられている。第１蓋体４及び第２蓋体５の開口が、それぞれ、注出入口１ａ，１ｂを形成している。
【００１４】
一方、浄化処理ユニット１０は、パイプ１１と浄化材料１３とを有している。パイプ１１の側面（側壁面）には、多数の孔１２が形成されている。浄化材料１３は、パイプの側面（側壁面）を取り囲むように配置されている。浄化処理用吸着カラム１での処理対象となる液体は、浄化材料を透過可能となっている。この液体は、浄化材料を透過する際に、浄化されることになる。また、浄化処理ユニット１０は、パイプ１１の軸線方向に離間して配列された一対の端部材１４，１５を有している。パイプ１１及び浄化材料１３は、パイプ１１の軸線方向に沿って一対の端部材１４，１５の間に位置している。第１蓋体４側に、第１端部材１４が設けられ、第２蓋体５側に、第２端部材１５が設けられている。
【００１５】
端部材１４，１５は、板状部材からなっている。端部材１４，１５は、パイプ１１の軸線方向から浄化材料１３に対面して配置され、浄化材料１３内の液体が、パイプ１１の軸線方向に流出することを規制する。また、第１端部材１４は、パイプ１１の一方の開口を塞ぎ、パイプ１１内の液体が、パイプ１１の軸線方向に流出することを規制する。この第１端部材１４は、ケーシング本体３の内面との間に隙間を形成している。したがって、第１蓋体４によって形成される第１注出入口１ａは、浄化材料１３の外周面とケーシング本体３の内面との間の空間に連通している。第２端部材１５は、パイプ１１の他方の開口を開口している、したがって、第２蓋体５によって形成される第２注出入口１ｂは、パイプ１１の中空内部に連通している。その一方で、第２端部材１５は、その外周縁において、ケーシング本体３の内面に接続している。
【００１６】
このような構成からなる浄化処理用吸着カラム１では、第１注出入口１ａから供給された液体は、図２Ｂに示すように、浄化材料１３の外周面から内周面に向けて流れ、次に、孔１２を介して浄化材料１３からパイプ１１の内部空間に流入し、その後、第２注出入口１ｂを介して排出され得る。また、第２注出入口１ｂから供給された液体は、図２Ａに示すように、パイプ１１の内部空間から孔１２を介して浄化材料１３に進入し、その後、浄化材料１３内を進んで浄化材料１３の外面とケーシング本体３との間の隙間に到達し、次に、第１注出入口１ａを介して排出され得る。いずれかの注出入口から浄化処理用吸着カラム１に供給された液体は、浄化材料１３を透過する際に浄化材料から作用を受け処理され、その後に他方の注出入口から排出される。すなわち、図示された例において、注出入口１ａ，１ｂは、入口および出口のどちらで使用されるか限定されるものではなく、どちらでも好適に用いることが可能である。通常、パイプは一対の注出入口１ａ，１ｂを結ぶ軸の中心に直接または間接的に固定されていることが好ましい。
【００１７】
以下、浄化処理用吸着カラム１の浄化処理ユニット１０の構成要素について更に詳細に説明していく。
【００１８】
パイプ１１は、その側面に複数の貫通孔（孔）１２を一様に有しており、液体を流入し、排出する機能を有する。孔１２の配置は、均一な液体の流れを得るために、パイプ１１の側面に一様に分布していることが好ましく、パイプ１１の側面の一部や片側に限局的に分布させることは、不均一な液体の流れを発生させる恐れがある。孔１２を一様に配置するとは、孔１２の間隔をランダムに配置されてもよいが、間隔が制御された方法で配置されていることが好ましく、斜め状、円状、楕円形上の配置なども含まれる。このようにパイプ１１の孔１２の配置を一様にすることにより、カラム１内部に液体が放射状に流入させることも可能となるラジアルフロー型のカラムにもなる。
【００１９】
なお、本明細書で使用する次の用語は、特に断りがない限り、下記の定義のとおりである。
【００２０】
「パイプ」とは、カラムに流入した液体を浄化材料に効率的に接触させる機能や浄化材料を巻き付ける機能を有する、カラムを構成する部材を意味する。
【００２１】
「孔の平均面積」とは、孔の面積の和を孔の個数で除した値を意味する。ここで孔の面積とは、その両開口（両端）を結ぶ方向に直交する面内での孔の面積のことである。孔の面積がその両開口を結ぶ方向に沿って一定でない場合には、当該孔の最小となる面積を、当該孔の面積とする。
【００２２】
「孔の開孔率」とは、下記式で求められる値を意味する。
開孔率（％）＝パイプに形成された孔の面積の和／パイプの側面の面積×１００
【００２３】
「隣り合う一つの孔の重心と他の孔の重心との最短距離」とは、パイプに形成された複数の孔から選択された任意の二つの孔の重心間の距離の中で、最も短い距離を意味する。
【００２４】
「隣り合う一つの孔の外周の一端と他の孔の外周の一端との最短距離」とは、パイプに形成された複数の孔から選択された任意の二つの孔のうちの一方の外周と他方の外周との間の最短距離の中で、最も短い距離を意味する。
【００２５】
「パイプの軸線方向端から孔の外周までの最短距離」とは、パイプに形成された複数の孔から選択された任意の孔の外周と、パイプの軸線方向における端点と、の間のパイプの軸線方向に沿った最短距離の中で、最も短い距離を意味する。
【００２６】
「浄化材料の厚み」とは、パイプの横断方向に沿った浄化材料の厚みを意味する。
【００２７】
「液体の流入側となる孔の直径」とは、パイプの側面（側壁部）に貫通した孔において、液体の流れ方向における最上流側（最流入側）となる位置での孔の直径を意味する。
【００２８】
「液体の流出側となる孔の直径」とは、パイプの側面（側壁部）に貫通した孔において、液体の流れ方向における最下流側（最流出側）となる位置での孔の直径を意味する。
【００２９】
「パイプの軸線方向」とは、パイプを柱体とした場合の側面方向という意味であり、言い換えるとパイプの両開口を結ぶ方向である。パイプの形状が断面方向に長いカラムの場合でも、側面方向（両開口を結ぶ方向）を意味する。
【００３０】
「パイプの横断方向」とは、パイプを柱体とした場合の断面方向、言い換えるとパイプを円柱とした場合のパイプの径方向であり、さらに言い換えるとパイプの両開口を結ぶ方向に直交する方向である。つまり、「パイプの横断方向」とは、パイプの軸線方向に直交する方向と言える。パイプの形状が側面方向に短いカラムの場合でも、断面方向（径方向、両開口を結ぶ方向に直交する方向）を意味する。
【００３１】
引き続き、浄化処理用吸着カラムの構成について説明する。
【００３２】
パイプ１１の孔１２の大きさも一様であることが好ましい。限局的な部分だけ孔１２の大きさが異なる場合は、不均一な液体の流れを発生させる恐れがある。均一な流れを発生させるためには、孔１２の大きさが制御されていることが好ましい。
【００３３】
パイプ１１の孔１２の形状は、特に限定されるものではない。パイプ１１の孔１２の形状として、円形、正方形、長方形、多角形などを好適に用いることができる。また、孔をスリットにすることでも液体の分散性を向上することができる。さらに、左右対称形状の孔は液体を均一に分散させる機能において優れている。
【００３４】
パイプ１１の周りに配置される浄化材料１３は、浄化機能を持つ材料であれば、限定するものではない。浄化材料１３として、物質を吸着により浄化する材料や、ろ過によって浄化する材料も好適に用いることができる。また、浄化材料１３には、吸着材料、除去材料または分離材料も包含される。
【００３５】
パイプ１１と浄化材料１３を含む軸線方向の一端が封止されていることが、液体を均一に流すことに適している。封止方法の一例を図２Ａ及び図２Ｂに示した。図２Ａでは、液体が、封止部分をなす第１端部材１４で反射をして、浄化材料１３に流入させることにより、浄化材料１３への液体の分散を均一にすることができる。一方、図２Ｂでは、パイプ１１の一端の封止に第１端部材１４を装着したもので、カラム１に流入した液体を、均一に浄化材料１３の外層から流入させることにより、液体を均一に流すことが可能となる。パイプ１１の封止方法は、特に限定されるものではなく、例えば、端部材１４，１５の装着やポッティング剤を利用する方法が挙げられる。
【００３６】
パイプ１１の孔１２の平均面積は、小さすぎると孔１２を通過する液体のずり速度が速くなり、カラム１の圧力損失が上昇することが懸念される。一方で、孔１２の平均面積が大きすぎると、孔１２を通過する液体のずり速度が遅くなり、液体が滞留することでカラム１の圧力損失が上昇することが懸念される。これらの傾向は、血液、血小板を含む製剤、血漿、血清や粘度が高い液体などを浄化する時に顕著に認められる。したがって、１つの孔１２の面積は５ｍｍ２以上１００ｍｍ２以下が好ましく、１０ｍｍ２以上８０ｍｍ２以下がより好ましく、１０ｍｍ２以上６０ｍｍ２以下がさらに好ましく、２０ｍｍ２以上５０ｍｍ２以下が特に好ましい。上記上限および下限のいずれの値を組み合わせた範囲であってもよい。なお、平均面積とは、既に定義したように、孔の面積の和を孔の個数で除した値で求められる。
【００３７】
パイプ１１に貫通した孔１２の開孔率を変動させることによって、液体の流れを制御し、均一に液体を浄化材料１３に接触させることが可能となる。孔１２の開孔率は大きすぎるとパイプ１１の内部と浄化材料１３の最外層部との抵抗が低くなり、液体の分散が低下し、均一に液体が浄化材料１３に接触できなくなり性能が低下する。また、開孔率が小さすぎると、パイプの側面の孔がない部分に液体が滞留し、液体の流れが不均一になる。これらの傾向は、血液、血小板を含む製剤、血漿、血清や粘度が高い液体などを浄化する時に顕著に認められる。したがって、パイプ１１に貫通した孔１２の開孔率は、２０％以上８５％以下が好ましく、２０％以上８１％以下がより好ましく、２０％以上８０％以下がさらに好ましく、３０％以上７０％以下がさらに好ましく、４０％以上６０％以下がさらに好ましい。上記上限および下限のいずれの値を組み合わせた範囲であってもよい。
【００３８】
ここで言う開孔率とは、既に定義したように、パイプの孔の面積〔ｍｍ２〕およびパイプの側面の面積〔ｍｍ２〕を用いた以下の式１により求めることができる。
開孔率（％）＝パイプに形成された孔の面積の和／パイプの側面の面積×１００
・・・式１
【００３９】
なお、パイプの孔の面積も含む側面の面積は、図３を参照し、式２により求めることができる。つまり、パイプ１１の側面の面積として、パイプ１１の外側面の面積を用いている。式２において、πは円周率であり、Ｄ１はパイプの外径〔ｍｍ〕、Ｌ１はパイプの長さ〔ｍｍ〕である。
パイプの側面の面積＝π×Ｄ１×Ｌ１・・・式２
【００４０】
また、隣り合う一つの孔１２の重心と他の孔１２の重心との最短距離は短ければ短いほど液体の滞留が少なく、液体を均一に流すことが可能であるが、パイプ１１の強度を保持するためには５ｍｍ以上必要であり、さらに短くなると浄化材料１３を充填した時の浄化材料の形状を保つことが困難になり、均一な流れを保持することが困難になる。よって、隣り合う一つの孔１２の重心と他の孔１２の重心との最短距離は、液体の滞留を抑制するために、５ｍｍ以上１５ｍｍ以下が好ましく、５ｍｍ以上１１ｍｍ以下がより好ましい。
【００４１】
隣り合う一つの孔１２の重心と他の孔１２の重心との最短距離は、既に定義したように、任意の二つの孔１２の重心間の距離の中で最も短い距離である。孔１２の形状が変わっても重心間の距離の考え方は同じであり、一例として孔１２が円の場合を図４に、孔が星形の場合を図５に、孔１２が長方形の場合を図６に示した。図４〜図６において、ｌｘ１，ｌｘ２，ｌｘ３が、一つの孔１２の重心１６と他の孔１２の重心１６との距離を示しており、このうちｌｘ１が、一つの孔１２の重心１６と他の孔１２の重心１６との最短距離を示している。
【００４２】
さらに、隣り合う一つの孔１２の外周の一端と他の孔１２の外周の一端とを結ぶ場合の最短距離も、短ければ短いほど液体の滞留が少なく、液体を均一に流すことが可能である。ただし、パイプ１１の強度を保持するためには１ｍｍ以上必要である。この距離が１ｍｍよりも短くなると、浄化材料１３を充填した時の浄化材料１３の形状を保つことが困難になり、均一な流れを保持することが困難になる。よって、隣り合う一つの孔１２の外周の一端と他の孔１２の外周の一端との最短距離は、液体の滞留を抑制するために、１ｍｍ以上１０ｍｍが好ましく、１ｍｍ以上６ｍｍ以下がより好ましい。
【００４３】
隣り合う一つの孔１２の外周の一端と他の孔１２の外周の一端との最短距離は、既に定義したように、任意の二つの孔１２のうちの一方の外周と他方の孔１２の外周との最短距離の中で、最も短い距離である。孔１２の形状が変わっても隣り合う一つの孔１２の外周の一端と他の孔１２の外周の一端との最短距離の考え方は同じであり、一例として孔１２が円の場合を図７に、孔１２が星型の場合を図８に、孔１２が長方形の場合を図９に示した。図７〜図９において、ｌｙ１，ｌｙ２，ｌｙ３が、一つの孔１２の外周の一端と他の孔１２の外周の一端との距離を示しており、このうちｌｙ１が、一つの孔１２の外周の一端と他の孔１２の外周の一端との最短距離を示している。
【００４４】
次に、図１０は、パイプ１１の軸線方向端から孔１２の外周までの最短距離（ｘ）と浄化材料１３の厚み（ｔ）を示している。これらの最短距離（ｘ）及び厚み（ｔ）により、液体の均一な流れを保持するためのパイプ１１の孔１２の配置を規定することができる。
【００４５】
パイプ１１の孔１２の配置は、パイプ１１の軸線方向端から孔１２の外周までの最短距離（ｘ）を規定することでも、液体の偏流を低減することが可能となる。パイプ１１の軸線方向端から孔１２の外周までの最短距離（ｘ）が短いと、言い換えると、パイプ１１の軸線方向端の近くに孔１２を配置すると、液体が浄化材料１３を通過しづらく、パイプ１１からカラム１の出口に液体がショートパスを起こして、浄化効率が低下する。一方、パイプ１１の軸線方向端から遠くに孔１２を配置すると、パイプ１１の軸線方向端から孔１２までの領域で滞留が発生し、充填された浄化材料１３が効率的に使用されず浄化性能が低下することが懸念される。よって、パイプ１１の軸線方向端から孔１２の外周までの最短距離は、２ｍｍ以上１５ｍｍ以下が好ましく、４ｍｍ以上５ｍｍ以下がより好ましい。
【００４６】
また、パイプ１１の周囲に充填される浄化材料１３の厚み（ｔ）を規定することでも、液体の偏流を低減することが可能となる。浄化材料１３の厚みが薄いと、浄化材料１３の抵抗が低く、液体がパイプ１１からカラム１の出口に液体がショートパスを起こして、浄化効率が低下する。一方、浄化材料１３の厚みが厚いと、浄化材料１３の抵抗が高く、パイプ１１内に液体が滞留してしまい、カラム１の圧力損失が上昇し、浄化効率が低下する。よって、浄化材料１３の厚みは、３ｍｍ以上６０ｍｍ以下が好ましく、８ｍｍ以上６０ｍｍ以下がより好ましく、８ｍｍ以上２０ｍｍ以下がさらに好ましい。
【００４７】
パイプ１１の孔１２の形状は、液体の流入側となる孔の直径をＤ３とし、液体の流出側となる孔の直径をＤ４とした場合に、Ｄ３≦Ｄ４となる形状のことである。すくなくとも、液体の流入側となる孔１２の直径Ｄ３が液体の流出側となる孔１２の直径Ｄ４を超えると液体の流入の抵抗が認められるため、Ｄ３＝Ｄ４が好ましく、Ｄ３＜Ｄ４がより好ましい。
【００４８】
孔１２の形状の一例を図１１Ａ及び図１１Ｂに示す。図１１Ａに示された液体がパイプ１１から浄化材料１３に流れる場合、及び、図１１Ｂに示された液体が浄化材料１３からパイプ１１に流れる場合のいずれであっても、Ｄ３≦Ｄ４とすることで、液体の分散性は高くなる。
【００４９】
ここでいう孔１２の直径とは、孔１２の形状が円の場合は円の直径を示すが、多角形の場合は、その面積を求め、得られた面積相当の円を示し、その円の直径を示すこととする。また、孔１２の角度を規定することで、液体の分散性を制御することが可能となる。ここで、図１１Ｃに示すように、孔１２の角度θは、液体の流入側の孔１２の外周部の端点から液体の流出側の孔１２の外周部に直角に結んだ補助線ａｌから得られる角度のことである。すなわち、孔の角度θは、パイプの軸線方向に沿った断面において、孔を画成する一つの外壁面の両端部間を結ぶ線分が、パイプの横断方向に対してなす角度のことをいう。このパイプの孔の角度θは、５度以上６０度以下が好ましい。
【００５０】
パイプ１１の孔１２の面積は、図１２に示す通り、パイプ１１の軸線方向に沿って変化するようにしてもよい。図１２に示された例において、パイプ１１の内部を流れる液体の流れ方向上流側から下流側に向けて、パイプ１１の孔１２の面積が段階的に小さくなることで、徐々に孔１２にかかる液体の抵抗が大きくなり、液体の分散が拡大し、浄化材料１３を効率的に使用することが可能になり性能の向上を見出すことができる。
【００５１】
浄化材料１３は水、血液、羊水、腹水、胸水を浄化させる機能をもつものが好適に用いられる。また、水を浄化させる場合には、塩素、トリハロメタン、細菌、重金属などを浄化する材料が使用可能となる。また、血液、血漿、血清から細菌、細菌が産生する毒素、ウイルスや炎症性の病態に深く関与することが知られている活性化した白血球や血小板、炎症性サイトカイン、ケモカイン、接着分子、ロイコトリエンなどの物質を浄化する材料も使用可能である。また、周産期の妊婦の羊水や、炎症によって貯留した腹水や胸水中の細菌、細菌が産生する毒素、ウイルス、白血球や血小板、炎症性サイトカイン、ケモカイン、接着分子、ロイコトリエンなどの物質を除去する材料が充填されたカラム１としても使用可能である。
【００５２】
また、浄化材料１３はカラム内部の液体の流れに生じる偏流や滞留を防ぐことができることから、複数の物質を同時に浄化することにも好適に使用される。例えば、分子量５ｋＤａから１００ｋＤａ程度の物質（例えば、炎症性サイトカイン、ケモカイン、接着分子、ロイコトリエン、細菌が産生する毒素）と直径０．５〜４０μｍ程度の物質（例えば、細菌、白血球や血小板）を同時に浄化することも可能となる。中でも、患者の循環動態を安定にするため、体外への持ち出し血液量が制限され、効率的な浄化が求められる体外循環時に炎症性サイトカインやケモカインと白血球や血小板などを除去することに好適に用いることも可能である。
【００５３】
浄化処理用吸着カラム１は、上記浄化材料１３を容器、特に好ましくは円筒状容器（ケーシング本体３）に充填することによって製造することができる。かかる浄化処理用吸着カラム１としては、浄化材料１３を編地、織物やフェルトのようなシート状に形成して、これを複数層重ねてパイプ１１に巻き付けてカラム１に充填してなるものが挙げられる。また、ビーズやチップ状の浄化材料を、パイプ１１のまわりに充填する方法や、中空糸や繊維形状の材料をパイプのまわりに整列させて充填するカラム１も挙げられる。また、編地、織物、フェルト、中空糸および繊維形状の材料を数種類同一カラム１に充填することも可能である。
【００５４】
さらに、浄化材料１３の端部の片側をプレート（端部材１４，１５）やポッティングで封止された状態で液体入口と液体出口とを有する円筒状容器（カラムケース２）に納め、容器の液体出口が浄化材料１３の外周部に通じる構造（すなわち、液体はパイプ１１の内側から外側に向けて流れる構造）、または反対に浄化材料１３の内周部に通じる構造（すなわち、液体は浄化材料１３の外側から内側に向けて流れる構造）を有しているカラム１等が挙げられる。
【００５５】
本発明の浄化材料１３は、液体処理用途、水処理用途や医療用途に好適に用いることができる。したがって、本発明に係る浄化処理用吸着カラム１は、液体処理、水処理、治療を目的とした浄水器、液体処理用フィルター、体外循環用カラムや研究目的に用いる灌流用カラムなどとしても使用することもできる。
【００５６】
本発明における浄化処理用吸着カラム１の液体の流れの均一化を定量する方法としては、例えば、パルス試験方法が挙げられる。その試験方法を以下に示す。
【００５７】
１．パルス試験方法
パルス試験とは、カラムに液体を想定した疑似液体を一定の流速で通液しながら、トレーサーとして色素をカラムの入口からパルスし、カラムから出てくる色素を定量化することで評価する。試験方法を図１３Ａ及び図１３Ｂに、パルス試験から得られる波形の一例を図１４に示す。評価方法は、パルスした時間を０時間とし、各時間帯におけるカラムから出てくる疑似液体中の色素を定量化することで、液体の流れを定量化する方法である。例えば、液体の流れに滞留が認められた場合は、色素が長時間に渡りカラムから排出されることになり、液体がカラムに均一に流れず、ショートパスをして流れる場合は、色素が短時間に排出されることになる。なお、図１３Ａは、図１に示されたカラムの第１注出入口１ａに液体を供給し、第２注出入口１ｂから排出される液体について評価する例を示しており、図１３Ｂは、図１に示されたカラムの第２注出入口１ｂに液体を供給し、トレーサーとなる色素をカラム内に注入し、第１注出入口１ａから排出されるトレーサーの時間と濃度を評価する例を示している。以下に説明する試験は、図１３Ａに示された方法にて実施している。
【００５８】
以下に、試験方法を詳細に示す。
ａ．カラム１に、例えばポンプ１７を用いて、疑似液体１８を一定の流速で流す。疑似液体として、ヘマトクリット４０％の血液と同一粘度である５０％（Ｖ／Ｖ）グリセリン水溶液を用いる。
ｂ．疑似液体１８の流速は、カラム１を施行する条件に設定する。 
ｃ．疑似液体１８を流しながら、色素としてトルイジンブルー１ｍＬを２秒以内でカラム１の入口より注入する。トルイジンブルーは、トレーサーとして用い、図示された例においてトレーサー注入口１９より注入されて、疑似液体１８と混合される。
ｄ．トルイジンブルーを注入した時点を０秒として１０秒毎に５ｍＬずつサンプリングを行う。サンプリング時間の考え方は、０〜１０秒間にサンプリングした溶液は１０秒とし、１０〜２０秒間にサンプリングした溶液は２０秒とし、１０秒毎に３００秒間のサンプリングを行う。 
【００５９】
２． トルイジンブルー濃度測定
ａ．分光光度計を用いて測定を行う。
一例としてＨＩＴＡＣＨＩ Ｕ―２８００Ａを用いて測定を行う。
ｂ．ブランクに５０％グリセリン水溶液を用い、測定波長は６３１ｎｍとする。
ｃ．トルイジンブルーの濃度は、測定毎に検量線を作成し算出する。
【００６０】
３． 波形の解析
得られたトルイジンブルー濃度からＸ軸を空間時間（φ）、Ｙ軸を無次元濃度（Ｅ）とした散布図を作成する（図１４）。ここで、φおよびＥは下記の式３、４で表された。
φ＝ｔ／ＴＩ＝ｔ／（ＶＩ／Ｖ）  ・・・・・式３
ＴＩ：カラム理論通過時間（理論カラム体積／疑似液体をポンプで送液する単位時間あたりの流量）
ｔ  ：サンプリング時間（トルイジンブルーの注入時を０秒とする）
ＶＩ：理論カラム体積
（図１３Ａ及び１３Ｂのトレーサー注入口１９からトレーサー排出口２０までの体積、すなわち、トレーサー注入口１９からトレーサー排出口２０までの回路の体積及び浄化処理用吸着カラム１の体積の和）
Ｖ  ：疑似液体をポンプで送液する単位時間あたりの流量
Ｅ＝Ｃ／Ｃ０  ・・・・・式４
Ｃ：各サンプリング溶液中のトレーサー（トルイジンブルー）の濃度
Ｃ０：トレーサー（トルイジンブルー）の初期濃度
【００６１】
４． ｔ−ＴＯＰの算出
上記方法にてＸ軸を空間時間（φ）、Ｙ軸を無次元濃度（Ｅ）とした散布図を作成する時、Ｅが大きい時のφの値をｔ−ＴＯＰとする。
ｔ−ＴＯＰが１の場合は、液体の流れが均一である。また、液体の流れに滞留が認められた場合はｔ−ＴＯＰ＞１となり、ショートパスが認められた場合はｔ−ＴＯＰ＜１を示す。
【００６２】
本発明における浄化処理用吸着カラム１の性能を評価する方法としては、例えば、ＩＬ−８の除去性能試験方法が挙げられる。その試験方法を以下に示す。
【００６３】
ＩＬ−８除去性能試験
牛胎児血清にヒトＩＬ−８を１０ｎｇ／ｍＬの濃度となるように添加し、ＩＬ−８含有溶液を調製する。浄化処理用吸着カラムに回路とポンプを接続し、単位時間あたりの流量５０ｍＬ／ｍｉｎで、ＩＬ−８含有溶液を３７℃の温浴にセットした条件で、浄化処理用吸着カラムにＩＬ−８含有溶液を灌流し1時間浄化する。ＩＬ−８の溶液量は、浄化処理用吸着カラムの容量によって選択し、例えば、カラム容積が１５０ｍＬ、５０ｍＬ、２０ｍＬの場合は、ＩＬ−８溶液量をそれぞれ２Ｌ、７００ｍＬ、２５０ｍＬとする。ＩＬ−８除去率は、灌流前のＩＬ−８含有溶液の濃度をＣ０とし、１時間灌流後のＩＬ−８含有溶液の濃度をＣ１としたとき、以下の式５によって算出する。
ＩＬ−８除去率（％）＝（Ｃ０−Ｃ１）／Ｃ０×１００  ・・・・・式５
ＩＬ−８の濃度の測定
ＩＬ−８の濃度は、Ｈｕｍａｎ  ＣＸＣＬ８／ＩＬ−８Ｑｕａｎｔｉｋｉｎｅ  ＥＬＩＳＡ  Ｋｉｔ（Ｒ＆Ｄ  ＳＹＳＴＥＭＳ）を用いて測定する。
【００６４】
本発明における浄化処理用吸着カラム１の性能を定量する方法としては、例えば、白血球除去性能試験方法が挙げられる。その試験方法を以下に示す。
【００６５】
白血球除去性能試験
牛血液にヘパリン３０Ｕ／ｍＬになるよう添加した血液を準備する。牛血液は食肉として処分された当日の新鮮な血液を用いる。浮遊物を除去するためにガーゼを用いて血液をろ過する。浄化処理用吸着カラムに回路とポンプを接続し、単位時間あたりの流量５０ｍＬ／ｍｉｎで、牛血液を３７℃の温浴にセットした条件で、浄化処理用吸着カラムに牛血液を灌流し1時間浄化する。牛血液量は、浄化処理用吸着カラムの容量によって選択し、カラム容積が１５０ｍＬ、５０ｍＬ、２０ｍＬの場合は、牛血液量をそれぞれ２Ｌ、７００ｍＬ、２５０ｍＬとする。白血球除去率は、浄化前の牛血液の白血球数をＣ０とし、１時間浄化後の白血球数をＣ１としたとき、以下の式６によって算出する。
白血球除去率（％）＝（Ｃ０−Ｃ１）／Ｃ０×１００  ・・・・・式６
【００６６】
白血球数の測定
白血球数は、多項目自動血球分析装置（ＸＴ−１８００ｉ）（Ｓｙｓｍｅｘ社）を用いて測定をする。
【００６７】
本発明における浄化処理用吸着カラム１の性能を評価する方法としては、例えば、牛血液を用いたカラム循環時間の評価方法が挙げられる。その試験方法を以下に示す。
【００６８】
カラム循環試験
牛血液に抗凝固剤としてＡＣＤ液（クエン酸含有）を添加した血液を準備する。牛血液は食肉として処分された新鮮な血液を用いる。浮遊物を除去するためにガーゼを用いて牛血液をろ過する。さらに牛血液循環を実施する直前に、カルシウムを添加することによってクエン酸によって発現したカルシウムのキレートを解除し、血液凝固が発現する血液にする。次に、浄化処理用吸着カラムに回路とポンプを接続し、単位時間あたりの流量５０ｍＬ／ｍｉｎ、牛血液を３７℃の温浴にセットした条件で、浄化処理用吸着カラムに牛血液を灌流し、カラム入口側回路に接続した圧力計からカラム圧力を測定する。牛血液量は、浄化処理用吸着カラムの容量によって選択し、例えば、カラム容積が１５０ｍＬ、５０ｍＬ、２０ｍＬの場合は、牛血液量をそれぞれ２Ｌ、７００ｍＬ、２５０ｍＬとする。循環時間は、カラム入口側の圧力が１００ｍｍＨｇに達するまでの時間とする。
【実施例】
【００６９】
以下、実施例を挙げて本発明を詳しく説明するが、本発明はこれらに限定されるものではない。
【００７０】
１．浄化処理用吸着カラム１の作製例
パイプの開孔率、孔と孔の重心間の最短距離、孔の平均面積、隣り合う一つの孔の外周の一端と他の孔の外周の一端との最短距離（以下、孔と孔の最短距離）、パイプの軸線方向端から孔の外周までの最短距離の影響を評価するため、表１に示す浄化処理用吸着カラムを作製した。具体的には、浄化処理用吸着カラムに充填されるパイプの開孔率が２１〜８１％、孔と孔の重心間の最短距離が６．５〜９．３ｍｍ、孔の平均面積が、１２．６〜４７．８ｍｍ２、孔と孔の最短距離が１．０〜３．８ｍｍ、パイプの軸線方向端から孔の外周までの最短距離ｘが４．１ｍｍのパイプを作製した（実施例１〜４）。また、
パイプの開孔率が１０〜９０％、孔と孔の重心間の最短距離が６．２〜１７．０ｍｍ、孔の平均面積が、３．１〜１１８．８ｍｍ２、孔と孔の最短距離が０．７〜１５．００ｍｍ、パイプの軸線方向端から孔の外周までの最短距離ｘが０．５〜１７ｍｍのパイプを作製した（比較例１〜４）。なお、いずれのパイプとも、パイプの内径は５ｍｍ、外径は８ｍｍ、液体の流入側となる孔の直径をＤ３とし、液体の流出側となる孔の直径をＤ４とした時にＤ３＝Ｄ４であり、孔の角度θが０度であり、パイプ及びカラムはポリプロピレンで作製した。 また、実施例及び比較例に係る浄化処理用吸着カラムのその他の構成は、図１を参照しながら上述の一実施の形態で説明したカラムと同一とした。次に、それぞれのパイプにＩＬ−８の除去特性を有する浄化材料を均一に巻き付け、容量５０ｍＬの浄化処理用吸着カラムを作製した。
【００７１】
２．浄化処理用吸着カラム１の性能評価
これらの浄化処理用吸着カラムを用いて、パルス試験によりｔ−ＴＯＰを算出し、さらにＩＬ−８の除去性能、牛血液を用いてカラムの入口圧が上昇するまでの時間を評価した。これらの結果を表１に示す。パイプの開孔率が２１〜８１％、孔と孔の重心間の最短距離が６．５〜９．３ｍｍ、孔の平均面積が、１２．６〜４７．８ｍｍ２、孔と孔の最短距離が１．０〜３．８ｍｍ、孔の直径Ｄ３＝Ｄ４となる浄化処理用吸着カラムは、液体の流れが良好であり、ＩＬ−８の除去性能もすぐれ、カラムの循環時間が延長することが示された。一方で、パイプの開孔率が１０、９０％、孔と孔の重心間の最短距離が１７．０ｍｍ、孔の平均面積が１１８．８ｍｍ２、孔と孔の最短距離が０．７ｍｍまたは１５．０ｍｍ、パイプの軸線方向端から孔の外周までの最短距離ｘが０．５または１７ｍｍとなる浄化処理用吸着カラムは、液体の流れが悪く、ＩＬ−８の除去性能も低く、カラム循環時間が短縮することが示された。
【００７２】
【表１】
2017170140.tif 000003
【００７３】
３．浄化処理用吸着カラム２の作製例
浄化材料の厚み（ｔ）と液体の流入側となる孔の直径の影響を評価するため、表２に示す浄化処理用吸着カラムを作製した。具体的には、浄化処理用吸着カラムに充填されるパイプの開孔率が４２％、孔と孔の重心間の最短距離が１０．５ｍｍ、孔の平均面積が４９．０ｍｍ２、孔と孔の最短距離が６．０ｍｍ、パイプの軸線方向端から孔の外周までの最短距離ｘが５ｍｍ、浄化材料の厚みｔが８．５〜５７ｍｍ、液体の流入側となる孔の直径をＤ３とし、液体の流出側となる孔の直径をＤ４とした時にＤ３＝Ｄ４またはＤ３＜Ｄ４であり、孔の角度θが０度または４５度であり、パイプ及びカラムはポリプロピレンで作製した（実施例５、６）。パイプの開孔率が４２％、孔と孔の重心間の最短距離が１０．５ｍｍ、孔の平均面積が４９．０ｍｍ２、孔と孔の最短距離が６．０ｍｍ、パイプの軸線方向端から孔の外周までの最短距離ｘが５ｍｍ、浄化材料の厚みｔが２．０ｍｍ、Ｄ３＝Ｄ４、孔の角度θが０度のパイプを作製した（比較例５）。実施例及び比較例に係る浄化処理用吸着カラムのその他の構成は、図１を参照しながら上述の一実施の形態で説明したカラムと同一とした。次に、それぞれのパイプにＩＬ−８の除去特性を有する浄化材料を均一に巻き付け、容量１５０ｍＬの浄化処理用吸着カラムを作製した。
【００７４】
４．浄化処理用吸着カラム２の性能評価
これらの浄化処理用吸着カラムを用いて、パルス試験によりｔ−ＴＯＰを算出し、さらにＩＬ−８の除去性能、牛血液を用いてカラムの入口圧が上昇するまでの時間を評価した。これらの結果を表２に示す。パイプの軸線方向端から孔の外周までの最短距離ｘが５ｍｍの時、浄化材料の厚みを８．５〜５７ｍｍにすることによって、液体の流れが良好であり、ＩＬ−８の除去性能もすぐれ、カラムの循環時間が延長することが示された。一方、浄化材料の厚みを２．０ｍｍにすることによって、液体の流れが悪く、ＩＬ−８の除去性能も低く、カラムの循環時間が短縮することが示された。また、孔の直径をＤ３＜Ｄ４にし、孔の角度θを４５度にすることによっても、液体の流れが良好であり、ＩＬ−８の除去性能もすぐれ、カラム循環時間が延長することが示された。
【００７５】
【表２】
2017170140.tif 000004
【００７６】
５．浄化処理用吸着カラム３の作製例
孔と孔の重心間の最短距離、孔と孔の最短距離の影響を評価するため、表３に示す浄化処理用吸着カラムを作製した。具体的には、浄化処理用吸着カラムに充填されるパイプの開孔率が４０％、孔と孔の重心間の最短距離が９．８ｍｍ、孔の平均面積が２０ｍｍ２、孔と孔の最短距離が４．３ｍｍ、パイプの軸線方向端から孔の外周までの最短距離ｘが４．１ｍｍのパイプを作製した（実施例７）。また、パイプの開孔率が４０％、孔と孔の重心間の最短距離が２３．８ｍｍ、孔の平均面積が、２０ｍｍ２、孔と孔の最短距離が１８．３ｍｍ、パイプの軸線方向端から孔の外周までの最短距離ｘが４．１ｍｍのパイプを作製した（比較例６）。なお、いずれのパイプとも、パイプの内径は５ｍｍ、外径は８ｍｍ、液体の流入側となる孔の直径をＤ３とし、液体の流出側となる孔の直径をＤ４とした時にＤ３＜Ｄ４であり、孔の角度θが６０度であり、パイプ及びカラムはポリプロピレンで作製した。 また、実施例及び比較例に係る浄化処理用吸着カラムのその他の構成は、図１を参照しながら上述の一実施の形態で説明したカラムと同一とした。次に、それぞれのパイプにＩＬ−８及び白血球の除去特性を有する浄化材料を均一に巻き付け、容量２０ｍＬの浄化処理用吸着カラムを作製した。
【００７７】
６．浄化処理用吸着カラム３の性能評価
これらの浄化処理用吸着カラムを用いて、パルス試験によりｔ−ＴＯＰを算出し、さらにＩＬ−８の除去性能、白血球除去性能、牛血液を用いてカラムの入口圧が上昇するまでの時間を評価した。これらの結果を表３に示す。孔と孔の重心間の最短距離を９．８ｍｍ、孔と孔の最短距離を４．３ｍｍにすることによって、液体の流れが良好であり、ＩＬ−８及び白血球の除去性能にすぐれ、カラムの循環時間が延長することが示された。一方、孔と孔の重心間の最短距離を２３．８ｍｍ、孔と孔の最短距離を１８．３ｍｍにすることによって、液体の流れはｔ−ＴＯＰが１以上と滞留が認められ、ＩＬ−８及び白血球の除去性能が低く、カラム循環時間が短縮することが示された。
【００７８】
【表３】
2017170140.tif 000005
【産業上の利用可能性】
【００７９】
本発明の浄化処理用吸着カラムは、浄化性能を維持しつつカラム内部の圧力損失を低下できる能力を有するため、体液浄化用途に限らず液体処理浄化用途や水処理浄化用途としても利用することができる。 
【符号の説明】
【００８０】
１     浄化処理用吸着カラム
１ａ   注出入口
１ｂ   注出入口
２     カラムケース
３     ケーシング本体
４     第１蓋体
５     第２蓋体
１０   浄化処理ユニット
１１   パイプ
１２   孔
１３   浄化材料
１４   第１端部材
１５   第２端部材
１６   重心
１７   ポンプ
１８   疑似液体
１９   トレーサー注入口
２０   トレーサー排出口
【図１】
2017170140.tif 000006
【図２Ａ】
2017170140.tif 000007
【図２Ｂ】
2017170140.tif 000008
【図３】
2017170140.tif 000009
【図４】
2017170140.tif 000010
【図５】
2017170140.tif 000011
【図６】
2017170140.tif 000012
【図７】
2017170140.tif 000013
【図８】
2017170140.tif 000014
【図９】
2017170140.tif 000015
【図１０】
2017170140.tif 000016
【図１１Ａ】
2017170140.tif 000017
【図１１Ｂ】
2017170140.tif 000018
【図１１Ｃ】
2017170140.tif 000019
【図１２】
2017170140.tif 000020
【図１３Ａ】
2017170140.tif 000021
【図１３Ｂ】
2017170140.tif 000022
【図１４】
2017170140.tif 000023